(57)【要約】【課題】無駄な消磁動作に起因する電力浪費を抑制し、また、不要な消磁音の発生回数を低減可能な陰極線管用消磁システム及び陰極線管装置を提供すること。【解決手段】陰極線管７０内の不要な帯磁を除去する消磁コイル２０と、消磁コイル２０への通電を制御する通電制御部３０とを備え、通電制御部３０は、陰極線管７０への電力供給をＯＮ・ＯＦＦする電源スイッチＳ１がＯＦＦ状態からＯＮ状態に切り換えられたときは、消磁コイル２０に通電せず、電源スイッチＳ１がＯＮ状態にあるときで、かつ、陰極線管７０外部の磁気状態の変化を検知したときに、消磁コイル２０に通電する制御を行う。【選択図】          図１
2004221817.tif 000002
【特許請求の範囲】
【請求項１】
陰極線管への電力供給をＯＮ・ＯＦＦする第１のスイッチを有する陰極線管装置に取り付けられる陰極線管用消磁システムであって、
陰極線管内の不要な帯磁を除去する消磁コイルと、
前記消磁コイルへの通電を制御する通電制御部とを備え、
前記通電制御部は、
前記第１のスイッチがＯＦＦ状態からＯＮ状態に切り換えられたときは、前記消磁コイルに通電せず、
前記第１のスイッチがＯＮ状態にあるときで、かつ、陰極線管外部の磁気状態の変化を検知したときに、前記消磁コイルに通電する制御を行うことを特徴とする陰極線管用消磁システム。
【請求項２】
前記通電制御部は、陰極線管外部の磁気状態の変化が検知されたときにＯＮ状態に転ずる第２のスイッチと、
前記第２のスイッチを、陰極線管の駆動電源に対して、前記第１のスイッチ及び前記消磁コイルと直列に接続する配線要素と、
を有することを特徴とする請求項１記載の陰極線管用消磁システム。
【請求項３】
陰極線管への電力供給をＯＮ・ＯＦＦする第１のスイッチを有する陰極線管装置に取り付けられる陰極線管用消磁システムであって、
陰極線管内の不要な帯磁を除去する消磁コイルと、
前記消磁コイルへの通電を制御する通電制御部と、を備え、
前記通電制御部は、前記消磁コイルの電気的接続を断続する第２のスイッチと、前記第２のスイッチを断続制御する制御本体部と、を有し、
前記制御本体部は、
前記第１のスイッチがＯＦＦ状態からＯＮ状態に切り換えられたときは、第２のスイッチをＯＦＦ状態に維持し、
前記第１のスイッチがＯＮ状態にあるときで、かつ、陰極線管外部の磁気状態の変化を検知したときに、第２のスイッチをＯＮ状態に切り換える制御をすることを特徴とする陰極線管用消磁システム。
【請求項４】
前記通電制御部は、前記第２のスイッチを、陰極線管の駆動電源に対して、前記第１のスイッチ及び前記消磁コイルと直列に接続する配線要素を有することを特徴とする請求項３記載の陰極線管用消磁システム。
【請求項５】
前記通電制御部は、陰極線管の移動を検知可能な移動検知センサを備え、
陰極線管の移動を検知することによって、陰極線管外部の磁気状態の変化を検知することを特徴とする請求項１から請求項４のうちいずれか一項記載の陰極線管用消磁システム。
【請求項６】
前記通電制御部は、陰極線管外部の磁気を検知可能な磁気センサを備え、
前記磁気センサによって、陰極線管外部の磁気状態の変化を検知することを特徴とする請求項１から請求項４のうちいずれか一項記載の陰極線管用消磁システム。
【請求項７】
前記通電制御部は、陰極線管の電源プラグが駆動電源に接続されたときにおいても、前記第２のスイッチをＯＮ状態に切り換える制御をすることを特徴とする請求項１から請求項６のうちいずれか一項記載の陰極線管用消磁システム。
【請求項８】
請求項１から請求項７のうちいずれか一項記載の陰極線管用消磁システムを備えることを特徴とする陰極線管装置。
【請求項９】
陰極線管内の不要な帯磁を除去する消磁コイルと、
陰極線管への電力供給をＯＮ・ＯＦＦする第１のスイッチと、
陰極線管外部の磁気状態の変化が検知されたときにＯＮ状態に転ずる第２のスイッチと、を備え、
前記消磁コイルと、前記第１のスイッチと、前記第２のスイッチとは、陰極線管の供給電源に対して直列に接続されることを特徴とする陰極線管装置。
【請求項１０】
陰極線管の移動を検知可能な移動検知センサを備え、
陰極線管の移動を検知することによって、陰極線管外部の磁気状態の変化を検知することを特徴とする請求項９記載の陰極線管装置。
【請求項１１】
陰極線管外部の磁気を検知可能な磁気センサを備え、
前記磁気センサによって、陰極線管外部の磁気状態の変化を検知することを特徴とする請求項９記載の陰極線管装置。
【請求項１２】
陰極線管の電源プラグが駆動電源に接続されたときにおいても、前記第２のスイッチをＯＮ状態に切り換えることを特徴とする請求項９から請求項１１のうちいずれか一項記載の陰極線管装置。
【発明の詳細な説明】
【０００１】
【発明の属する技術分野】
本発明は、陰極線管内の不要な帯磁を除去する陰極線管用消磁システム及び該陰極線管用消磁システムを備えた陰極線管装置に関する。
【０００２】
【従来の技術】
一般に、陰極線管（以下「ＣＲＴ」と表記する。）は、磁気の影響を受けることが知られている。このことは、地球自体が発生している地磁気に対しても例外ではなく、地磁気の影響によってＣＲＴ内のシャドウマスクが帯磁する。この帯磁の影響によって、電子ビームが所望のスポットに照射されないことがおこり、画面上で色ずれが生じることがある。したがって、従来のＣＲＴ装置においては、電源スイッチをＯＮ状態に切り換えたときに、消磁を行うことによって、上記弊害を排除している。しかし、いったん消磁が行われた後に、ＣＲＴ装置が移動（回転を含む。本明細書において同じ。）されると、地磁気の方向が相対的に変化するため、ＣＲＴ内のシャドウマスクが再び帯磁する。このため、ＣＲＴ装置が移動されるごとに消磁をする必要がある。
【０００３】
上記の点に鑑みて、ＣＲＴ装置の電源スイッチがＯＮ状態に切り換わったときに消磁をするとともに、電源スイッチがＯＮ状態でＣＲＴ装置が移動されたときに、その移動を検知して消磁が行われるものが開発されている（例えば、特許文献１参照）。
【０００４】
【特許文献１】
特開昭６４−１６０９４号公報（第３−９頁、第１図）
【０００５】
【発明が解決しようとする課題】
しかしながら、例えば、一般家庭用のテレビジョン受像機のように、一度設置されたら、ほとんど移動されることがないＣＲＴ装置については、地磁気の相対的な変化はほとんど生じない。したがって、設置後はじめて電源スイッチがＯＮ状態に切り換えたきに消磁を行えば、電源スイッチがＯＮ状態に切り換えられるたびに改めて消磁をする必要性は低い。従来の技術においては、ＣＲＴ装置が移動されたか否かに関わらず、ＣＲＴ装置の電源スイッチがＯＮ状態に切り換えられるたびに消磁動作が行われている。これにより、消磁が不要なときにも消磁動作が行われるという無駄が生じ、この不要な消磁動作に起因する電力浪費が問題となっている。例えば、３６型ワイドテレビジョン受像機では、消磁動作には、約３ｋＷの電力が必要とされ、消磁動作に１秒間要すると、１回の消磁動作につき約０．８Ｗｈの電力量が消費される。また、消磁コイルに電流が流れると、ローレンツ力が発生するが、該ローレンツ力によって消磁コイルが振動するため、該振動を起因とするいわゆる消磁音が発生する。特に近年は、ＣＲＴ装置の大画面化が著しく進展しているため、消磁動作に要するパワーも増大しており、これに伴って消磁音も大きくなっているという問題がある。例えば、３６型ワイドテレビジョン受像機では消磁動作の起磁力が３０００ＡＴを超え、消磁動作を行うには数年前と比較して１．５倍のパワーが必要となっており、消磁音もこれに比例して大きくなっている。
【０００６】
本発明は、上記のような問題点に鑑みてなされたものであって、不要な消磁動作に起因する電力浪費を抑制することができ、また、不必要な消磁音の発生回数を低減可能な陰極線管用消磁システム及び陰極線管装置を提供することを目的としている。
【０００７】
【課題を解決するための手段】
そこで、上記目的を達成するために、本発明に係るＣＲＴ用消磁システムは、ＣＲＴ内の不要な帯磁を除去する消磁コイルと、当該消磁コイルへの通電を制御する通電制御部とを備え、当該通電制御部は、ＣＲＴへの電力供給をＯＮ・ＯＦＦする第１のスイッチがＯＦＦ状態からＯＮ状態に切り換えられたときは、上記消磁コイルに通電せず、第１のスイッチがＯＮ状態にあるときで、かつ、ＣＲＴ外部の磁気状態の変化を検知したときに、上記消磁コイルに通電する制御を行うことを特徴としている。
【０００８】
上記構成においては、第１のスイッチがＯＦＦ状態からＯＮ状態に切り換えられたときは、上記消磁コイルに通電せず、第１のスイッチがＯＮ状態にあるときで、かつ、ＣＲＴ外部の磁気状態の変化を検知したときに、上記消磁コイルに通電する制御が行われる。これにより、第１のスイッチがＯＮ状態に切り換えられただけでは消磁動作が行われず、ＣＲＴ外部の磁気状態の変化が検知されたときに、消磁コイルが通電されて消磁動作が行われることになるので、不要な消磁動作に起因する電力浪費を抑制することが可能であり、また、不必要な消磁音の発生回数を低減することができる。なお、ＣＲＴ外部の磁気状態の変化には、ＣＲＴの移動によるＣＲＴに対する地磁気方向の相対的な変化、及び、ＣＲＴ外部からのＣＲＴへの磁界の印加（例えば、子供がＣＲＴに磁石を近づけた場合）等が含まれる。
【０００９】
ここで、上記の通電制御部は、ＣＲＴ外部の磁気状態の変化が検知されたときにＯＮ状態に転ずる第２のスイッチと、当該第２のスイッチを、ＣＲＴの駆動電源に対して、上記第１のスイッチ及び上記消磁コイルと直列に接続する配線要素とを有することが好ましい。かかるＣＲＴ用消磁システムによれば、第１のスイッチと、第２のスイッチと、消磁コイルとが、ＣＲＴの駆動電源に対して直列に接続されるという簡易な回路構成によって、上述の制御を実現可能であるので、ＣＲＴ用消磁システムの製造コストを抑えることができる。
【００１０】
また、本発明に係る他のＣＲＴ用消磁システムは、ＣＲＴ内の不要な帯磁を除去する消磁コイルと、当該消磁コイルへの通電を制御する通電制御部とを備え、当該通電制御部は、上記消磁コイルの電気的接続を断続する第２のスイッチと、当該第２のスイッチを断続制御する制御本体部とを有し、当該制御本体部は、ＣＲＴへの電力供給をＯＮ・ＯＦＦする第１のスイッチがＯＦＦ状態からＯＮ状態に切り換えられたときは、第２のスイッチをＯＦＦ状態に維持し、第１のスイッチがＯＮ状態にあるときで、かつ、ＣＲＴ外部の磁気状態の変化を検知したときに、第２のスイッチをＯＮ状態に切り換える制御をすることを特徴としている。
【００１１】
上記他のＣＲＴ用消磁システムの構成においては、第１のスイッチがＯＦＦ状態からＯＮ状態に切り換えられたときは、上記消磁コイルの電気的接続を断続する第２のスイッチをＯＦＦ状態に維持し、第１のスイッチがＯＮ状態にあるときで、かつ、ＣＲＴ外部の磁気状態の変化を検知したときに、第２のスイッチをＯＮ状態に切り換える制御が行われる。これにより、第１のスイッチがＯＮ状態に切り換えられただけでは消磁動作が行われず、ＣＲＴ外部の磁気状態の変化を検知したときに、消磁コイルが通電されて消磁動作が行われることになるので、不要な消磁動作に起因する電力浪費を抑制することが可能であり、また、不必要な消磁音の発生回数を低減することができる。
【００１２】
ここで、上記通電制御部は、第２のスイッチを、陰極線管の駆動電源に対して、第１のスイッチ及び上記消磁コイルと直列に接続する配線要素を有することが好ましい。かかる構成によれば、第１のスイッチと、第２のスイッチと、消磁コイルとが、ＣＲＴの駆動電源に対して直列に接続されるという簡易な回路構成によって、上述の制御を実現可能であるので、ＣＲＴ用消磁システムの製造コストを抑えることができる。
【００１３】
上記いずれかのＣＲＴ用消磁システムにおいて、上記通電制御部は、ＣＲＴの移動を検知可能な移動検知センサを備え、陰極線管の移動を検知することによって、陰極線管外部の磁気状態の変化を検知することが好ましい。上記の移動検知センサによってＣＲＴの移動を検知することで、ＣＲＴに対する地磁気の方向の相対的な変化を検知することができるので、消磁動作を行うべきときを簡易に検知することができる。
【００１４】
また、上記のＣＲＴ用消磁システムにおいて、上記通電制御部は、ＣＲＴ外部の磁気を検知可能な磁気センサを備え、磁気センサによって、ＣＲＴ外部の磁気状態の変化を検知することが好ましい。上記の磁気センサによって、ＣＲＴに対する地磁気の方向の相対的な変化、及び、ＣＲＴに対しての外部からの磁界の印加を検知することができるので、消磁動作を行うべきときを簡易に検知することができる。
【００１５】
さらに、上記通電制御部は、陰極線管の電源プラグが駆動電源に接続されたときにおいても、第２のスイッチをＯＮ状態に切り換える制御をすることが好ましい。これにより、ＣＲＴ装置が設置された後、ＣＲＴ装置がはじめて起動されたときに、消磁動作が行われることになるので、かかる場合においても、画面上で色ずれが生じるのを防止することができる。
【００１６】
本発明に係るＣＲＴ装置は、上記いずれかのＣＲＴ用消磁システムを備えることを特徴としている。本発明に係るＣＲＴ装置は、上記いずれかの消磁システムを備えているため、第１のスイッチがＯＮ状態に切り換えられるだけでは消磁動作が行われず、ＣＲＴ外部の磁気状態が相対的に変化されたときに消磁動作が行われることになるので、不要な消磁動作に起因する電力浪費を抑制することができ、また、不必要な消磁音の発生回数を低減することができる。
【００１７】
本発明に係る他のＣＲＴ装置は、ＣＲＴ内の不要な帯磁を除去する消磁コイルと、ＣＲＴへの電力供給をＯＮ・ＯＦＦする第１のスイッチと、ＣＲＴ外部の磁気状態の変化が検知されたときにＯＮ状態に転ずる第２のスイッチとを備え、上記消磁コイルと、第１のスイッチと、第２のスイッチとは、ＣＲＴの供給電源に対して直列に接続されることを特徴としている。上記の構成においては、
消磁コイルと、第１のスイッチと、第２のスイッチとが、ＣＲＴの供給電源に対して直列に接続されている。これにより、第１のスイッチをＯＮ状態にしたのみでは、消磁動作は行われず、第２のスイッチがＯＮ状態になったときに、消磁動作が行われることになるので、不要な消磁動作に起因する電力浪費を抑制することができ、また、不必要な消磁音の発生回数を低減することができる。
【００１８】
ここで、上記の他のＣＲＴ装置は、ＣＲＴの移動を検知可能な移動検知センサ又は磁気センサを備え、ＣＲＴ外部の磁気状態の変化を検知することが好ましい。上記移動検知センサによってＣＲＴの移動を検知することで、ＣＲＴに対する地磁気の方向の相対的な変化を検知することができ、また、磁気センサによって、ＣＲＴに対する地磁気の方向の相対的な変化、及び、ＣＲＴに対する外部からの磁界の印加を検知することができるので、消磁動作を行うべきときを簡易に検知することができる。
【００１９】
さらに、上記の他のＣＲＴ装置は、陰極線管の電源プラグが駆動電源に接続されたときにおいても、第２のスイッチをＯＮ状態に切り換えることが好ましい。これにより、ＣＲＴ装置が設置された後、はじめてＣＲＴ装置が起動されたときに、消磁動作が行われることになるので、かかる場合においても、画面上で色ずれが生じるのを防止することができる。
【００２０】
【発明の実施の形態】
以下、本発明の実施の形態について、図面を参照しながら説明する。なお、図面の説明においては同一要素には同一符号を付し、重複する説明を省略する。
【００２１】
＜第１の実施の形態＞
（１）ＣＲＴ用消磁システムの構成
はじめに、図１を参照しながら、本発明の第１の実施の形態に係るＣＲＴ用消磁システムの構成について説明する。図１は、本実施の形態に係るＣＲＴ用消磁システム１０の構成を示す簡略図である。ＣＲＴ用消磁システム１０は、ＣＲＴ内の不要な帯磁を除去する磁界を発生させる消磁コイル２０と、消磁コイル２０への通電を制御する通電制御部３０とを備える。
【００２２】
通電制御部３０は、消磁動作を行うべきときに電気信号を出力する制御本体部４０と、制御本体部４０が出力する電気信号に基づいて消磁スイッチＳ２（図２参照）のＯＮ・ＯＦＦを切り換えるスイッチング回路５０とを有する。
【００２３】
制御本体部４０は、ＣＲＴ７０（図３参照）の移動を検知する移動検知回路４１と、移動検知回路４１からの検知信号を一定時間保持するホールド回路４２と、電源プラグ６０が電源コンセントに接続されたことを検知する接続検知回路４３と、接続検知回路４３からの信号に基づいてＯＮ・ＯＦＦを切り換える切換回路４４と、切換回路４４又はホールド回路４２からの信号に基づいて論理演算を行う論理演算回路４５とを有する。
【００２４】
ここで、図２を参照しながら、ＣＲＴ用消磁システム１０の具体的な回路構成について説明する。図２は、図１の一部を具体的な回路で示した図である。切換回路４４は、トランジスタ４４Ｔと、スイッチＳ３を有するリレー４４Ｒとから構成されている。トランジスタ４４Ｔのベースは接続検知回路４３の出力端子に接続され、コレクタはリレー４４Ｒのコイルに接続され、エミッタは接地される。スイッチＳ３の一端（図中のａ端）は、常時５Ｖの電位に保たれており、他端は切換回路４４の出力端子とされる。
【００２５】
論理演算回路４５は、主として、入力端子Ｉａと入力端子Ｉｂとを有するＡＮＤ回路４５０によって構成されている。ＡＮＤ回路４５０の入力端子Ｉａは常時５Ｖの電位に保たれており、入力端子Ｉｂはバッファを介して切換回路４４の出力端子に接続される。ＡＮＤ回路４５０の出力端子は、制御本体部４０の出力端子とされる。
【００２６】
移動検知回路４１は、検知信号をホールド回路４２へ送信可能に接続され、ホールド回路４２は、バッファを介して論理演算回路４５を構成するＡＮＤ回路４５０の入力端子Ｉｂに接続される。
【００２７】
スイッチング回路５０は、トランジスタ５０Ｔと、消磁スイッチＳ２（第２のスイッチ）を有するリレー５０Ｒとから構成されている。トランジスタ５０Ｔのベースは制御本体部４０の出力端子に接続され、コレクタはリレー５０Ｒのコイルに接続され、エミッタは接地される。消磁スイッチＳ２の一端は、消磁コイル２０に接続され、他端は電源プラグ６０に接続される。
【００２８】
消磁コイル２０の端子のうち、消磁スイッチＳ２と接続された端子とは反対側の端子は、消磁コイル２０が発生する磁界を減衰させるために正特性サーミスタ（ＰＴＣ）２０１に接続される。ＣＲＴへの電力供給をＯＮ・ＯＦＦする電源スイッチＳ１（第１のスイッチ）の一端は、正特性サーミスタ２０１に接続され、他端は、電源プラグ６０に接続される。
【００２９】
（２）ＣＲＴ装置の構成
図３は、本発明の実施の形態に係るＣＲＴ装置の構成を示す簡略図である。ＣＲＴ装置１２は、上記のＣＲＴ用消磁システム１０（図１又は図２を参照）と、パネルに画像を表示するＣＲＴ７０と、ＣＲＴ７０への電力供給をＯＮ・ＯＦＦする電源スイッチＳ１（第１のスイッチ）と、電源コンセントに接続される電源プラグ６０とを備える。消磁コイル２０は、帯磁したシャドウマスクの磁気の向きを、発生する磁界によって、所望の一方向に揃えるように、ＣＲＴ７０に取り付けられる。なお、図中において、電源スイッチＳ１及び電源プラグ６０とＣＲＴ７０との接続関係は省略している。
【００３０】
（３）消磁システムの動作
図２を参照しながら、電源プラグ６０が電源コンセントに接続された場合のＣＲＴ用消磁システム１０の動作を説明する。ＣＲＴ装置１２が設置された直後は、移動検知回路４１からの初期信号はＬｏｗ信号に設定されている。電源プラグ６０が電源コンセントに接続されて、電源スイッチＳ１がＯＮ状態に切り換えられると、接続検知回路４３は、電源プラグ６０の電源コンセントへの接続を検知して切換回路４４へ電気信号を送信する。該電気信号によって、切換回路４４では、トランジスタ４４Ｔからリレー４４Ｒへコレクタ電流が流れる。該コレクタ電流がリレー４４Ｒへ流れると、リレー４４Ｒでは、スイッチＳ３が閉じられる。スイッチＳ３のａ端は電位が５Ｖに保たれているので、スイッチＳ３が閉じられると、切換回路４４から論理演算回路４５へＨｉｇｈ信号が送信される。
【００３１】
論理演算回路４５のＡＮＤ回路４５０の入力端子Ｉａは、電位５Ｖに保たれている。ＡＮＤ回路４５０が切換回路４４からのＨｉｇｈ信号を入力端子Ｉｂで受信すると、入力端子Ｉａ及び入力端子Ｉｂの入力信号はともにＨｉｇｈ信号となるので、ＡＮＤ回路４５０による演算によって、Ｈｉｇｈ信号が制御本体部４０の出力としてスイッチング回路５０へ送信される。
【００３２】
スイッチング回路５０では、制御本体部４０からのＨｉｇｈ信号を受信すると、トランジスタ５０Ｔからリレー５０Ｒへコレクタ電流が流れ、リレー５０Ｒでは、消磁スイッチＳ２がＯＮ状態となる。これにより、消磁コイル２０が通電して、消磁動作が開始され、消磁コイル２０が発生する磁界によって、ＣＲＴ７０内の不要な帯磁がキャンセルされる。このとき、時間の経過に伴って、正特性サーミスタ２０１の抵抗値は所定値まで漸次増大するので、消磁コイル２０に流れる電流の量は、減衰されて一定となる。これにより、消磁コイル２０が発生する磁界は、時間とともに減衰して一定の大きさに保たれる。
【００３３】
ここで、必要以上に長いあいだ消磁動作が行われていると、消磁コイルが発生する磁界が電子ビームの偏向等に影響するので、一定時間経過後に消磁動作を終了させる必要がある。そこで、本実施の形態の消磁システム１０は、電源プラグ６０が電源コンセントに差し込まれた際に、一定時間経過後に消磁動作が終了される仕組みを有している。以下、かかる仕組みについて説明する。消磁コイル２０が通電されて消磁動作が開始された後、所定時間が経過すると、接続検知回路４３は切換回路４４へＬｏｗ信号を送信する。なお、接続検知回路４３は、電源プラグ６０が再度電源コンセントに差し込まれない限り、切換回路４４へ常にＬｏｗ信号を送信する。接続検知回路４３からＬｏｗ信号が送信されると、切換回路４４を構成するリレー４４ＲのスイッチＳ３が開かれ、論理演算回路４５のＡＮＤ回路４５０の入力端子ＩｂにはＬｏｗ信号が送信される。このとき、ＡＮＤ回路４５０の入力端子ＩａにはＨｉｇｈ信号が、入力端子ＩｂにはＬｏｗ信号が送信されるので、論理演算回路４５からはＬｏｗ信号が出力され、制御本体部４０からスイッチング回路５０へはＬｏｗ信号が送信される。すると、スイッチング回路５０のトランジスタ５０Ｔからリレー５０Ｒへはコレクタ電流が流れなくなるので、消磁スイッチＳ２はＯＦＦ状態となり、これにより、消磁コイル２０は通電しなくなるため、消磁動作が停止される。
【００３４】
次に、電源スイッチＳ１がＯＮ状態のままで、ＣＲＴ７０が移動された場合のＣＲＴ用消磁システム１０の動作について説明する。電源プラグ６０が電源に差し込まれた後にＣＲＴ７０が移動されない場合には、切換回路４４のスイッチＳ３は開けられている状態であり、かつ、移動検知回路４１はＬｏｗ信号を出力するように設定されているので、ＡＮＤ回路４５０の入力端子ＩｂにはＬｏｗ信号が入力されている。このとき、ＣＲＴ７０が移動されると、移動検知回路４１は、ＣＲＴ７０の移動を検知してホールド回路４２へＨｉｇｈ信号を送信する。この信号を受信したホールド回路４２は、該信号をホールドしてＨｉｇｈ信号を一定時間だけ論理演算回路４５へ送信する。これにより、ＣＲＴ７０の移動が検知されたときには、ＡＮＤ回路４５０の入力端子ＩｂにＨｉｇｈ信号が送信されるので、論理演算回路４５よりＨｉｇｈ信号が出力され、制御本体部４０からスイッチング回路５０へＨｉｇｈ信号が送信される。これにより、スイッチング回路５０のリレー５０Ｒの消磁スイッチＳ２がＯＮ状態になるので、消磁コイル２０が通電されて消磁動作が開始される。ホールド回路４２でのホールド時間が経過すると、ホールド回路４２は論理演算回路４５へＬｏｗ信号を送信し、論理演算回路４５の出力信号はＬｏｗ信号となるので、スイッチング回路５０のリレー５０Ｒの消磁スイッチＳ２はＯＦＦ状態となり、消磁コイル２０は通電しなくなるので消磁動作は終了される。
【００３５】
本実施の形態の消磁システム１０では、消磁コイル２０と、電源スイッチＳ１と、消磁スイッチＳ２とは直列に接続されているので、消磁スイッチＳ２がＯＦＦ状態のときは、電源スイッチＳ１をＯＦＦからＯＮに切り換えたとしても、消磁コイル２０が通電されることはない。一方、電源スイッチＳ１がＯＮ状態のときに、ＣＲＴ７０が移動されて、消磁を行う必要があるときには、制御本体部４０がＨｉｇｈ信号を出力し、該Ｈｉｇｈ信号に基づいて消磁スイッチＳ２はＯＮ状態となり、消磁コイル２０が通電されることで消磁動作が行われる。このように、本実施の形態の消磁システム１０によれば、電源スイッチＳ１のＯＮ・ＯＦＦによっては消磁動作が行われず、消磁をする必要があるときに消磁動作が行われることになるので、不要な消磁動作に起因する電力浪費を抑制することができ、また、不必要な消磁音の発生回数を低減することができる。
【００３６】
（５）移動検知回路の構成
次に、図４を参照しながら、移動検知回路４１の構成を説明する。図４は、移動検知回路４１の構成を示すブロック図である。移動検知回路４１は、ＲＡＭを有するマイクロコンピュータ４１１と、マイクロコンピュータ４１１と他の構成部とを接続するインターフェース部４１４と、超音波を発振する超音波発振部４１１と、超音波を出力するスピーカＳＰと、スピーカＳＰを駆動させるスピーカ駆動部４１３と、反射された超音波を受信するマイクロフォンＭＰと、マイクロフォンＭＰが受信した信号を増幅・検波する増幅・検波部４１５と、増幅信号を矩形波に変換するシュミットトリガー回路部４１６と、超音波信号が発信されてから受信されるまでの時間を計測するタイマー部４１７とから構成されている。
【００３７】
マイクロコンピュータ４１１とインターフェース部４１４とは、相互に入出力可能に接続され、マイクロコンピュータ４１１の出力専用端子４１１ｔは、制御本体部４０のホールド回路４２（図１を参照）に接続される。超音波発振部４１１は、インターフェース部４１４とスピーカ駆動部４１３とに接続され、スピーカ駆動部４１３は、スピーカＳＰに接続される。マイクロフォンＭＰは、増幅・検波部４１５に接続され、増幅・検波部４１５は、シュミットトリガー回路部４１６に接続され、シュミットトリガー回路部４１６はタイマー部に接続され、タイマー部４１７は、インターフェース部４１４に接続される。なお、スピーカＳＰ及びマイクロフォンＭＰは、スピーカＳＰから発射された超音波の反射波をマイクロフォンＭＰが受信できるように、ＣＲＴ装置１２の背面部に取り付けられる。
【００３８】
（６）移動検知回路の動作
次に、移動検知回路４１の動作について説明する。なお、移動検知回路４１は、ＣＲＴ７０の起動時には常に作動している。マイクロコンピュータ４１１は、インターフェース部４１４を介して、一定の周期で超音波発振部４１１へ信号を送信する。該信号に基づいて、超音波発振部４１１が超音波を発振すると、駆動回路部４１３はスピーカＳＰを駆動させて、スピーカＳＰより超音波が発射される。該超音波は、ＣＲＴ装置１２の後方にある壁などによって反射されて、マイクロフォンＭＰにより受信され、電気信号に変換される。該電気信号は、増幅・検波部４１５により増幅・検波された後、シュミットトリガー回路部４１６で矩形波信号に変換された後、該矩形波信号はタイマー部４１７へ送信される。タイマー部４１７は、該矩形波信号に基づいて、スピーカＳＰより超音波が発射された時から、マイクロフォンＭＰによって受信されるまでの時間を計測する。この計測データは、インターフェース部４１４を介してマイクロコンピュータ４１１へ送信される。マイクロコンピュータ４１１は、該計測データとＲＡＭに格納されているデータとを比較し、これらの２つのデータが一致する場合にはＬｏｗ信号を、一致しない場合にはＨｉｇｈ信号をホールド回路４２へ送信する。なお、該計測データは、ＲＡＭに格納されているデータと一致する場合には、ＲＡＭに上書きされないが、ＲＡＭに格納されているデータと一致しない場合には、ＲＡＭに上書きされて、後に計測されるデータの比較対象となる。ホールド回路４２がＨｉｇｈ信号を受信すると、上述したように、消磁コイル２０による消磁動作が開始され、一定時間経過後に消磁動作が終了される。なお、一回の消磁動作で消費される消費電力量は、約０．８Ｗｈである。一方、移動検知回路４１の回路負荷は約１．５キロΩであり、移動検知回路４１を作動させるためには５Ｖが必要であるので、移動検知回路４１の消費電力は０．０１７Ｗであり、１時間あたりの消費電力量は約０．０１７Ｗｈとなる。仮にＣＲＴ装置１２を２４時間起動させて、移動検知回路４１を常時作動させた場合でも、消費電力量は約０．４Ｗｈである。したがって、本実施の形態の消磁システム１０は、電源スイッチＳ１がＯＮ状態になると必ず消磁動作が行われる従来の消磁システムと比較して、消費電力量を半分以下に抑制することができる。
【００３９】
以上により、本実施の形態に係るＣＲＴ用消磁システム１０によれば、ＣＲＴ装置１２が設置された後、電源プラグ６０が電源コンセントに接続された後にはじめて電源スイッチＳ１がＯＮ状態となったときに消磁動作が行われ、その後はＣＲＴ７０が移動されない場合には消磁動作が行われることはないので、無駄な消磁動作に起因する電力浪費を抑制することができ、また、不要な消磁音の発生回数を低減することができる。
【００４０】
＜第２の実施の形態＞
次に、本発明の第２の実施の形態に係る消磁システムについて説明する。本実施の形態に係る消磁システムの構成は、第１の実施の形態に係る消磁システム１０の構成において、接続検知回路４３と、切換回路４４とを省略したものである。なお、本実施の形態においては、移動検知回路４１のマイクロコンピュータ４１１は不揮発性メモリ（例えば、フラッシュメモリ等）を有するものとする。以下、本実施の形態の消磁システムの動作について説明する。移動検知回路４１のマイクロコンピュータ４１１は、ＣＲＴ７０の起動時に、超音波発振部４１１へ信号を送信し、超音波の移動距離を計測する。前回ＣＲＴ７０が停止される前の計測データは、マイクロコンピュータ４１１の不揮発性メモリに保存されている。マイクロコンピュータ４１１は、ＣＲＴ７０起動時の計測データを、メモリに保存されているデータと比較することで、ＣＲＴ７０の停止時から起動時までにＣＲＴ７０が移動されたか否かを判断する。マイクロコンピュータ４１１は、２つの計測データを比較し、データが同様であれば、ホールド回路４２へＬｏｗ信号を出力し、データが相違すれば、ホールド回路４２へＨｉｇｈ信号を出力する。ホールド回路４２にＨｉｇｈ信号が入力されると、上記において説明したように、一定時間消磁動作が行われたのちに、消磁動作が終了される。
【００４１】
本実施の形態における消磁システムの構成によっては、電源プラグ６０が電源コンセントに接続されたときには、必ずしも消磁動作が行われないことになる。しかし、電源プラグ６０が電源コンセントから抜かれた後に、ＣＲＴ７０が移動されなければ、ＣＲＴ７０に対しての地磁気の方向は、相対的には変化しないので、消磁動作を行う必要はない。したがって、本実施の形態に係る消磁システムによれば、ＣＲＴ７０が移動されたときのみに、消磁動作が行われることになるので、さらに消費電力量を抑制することができ、また、不必要な消磁音の発生回数を低減することができる。
【００４２】
＜第３の実施の形態＞
第３の実施の形態に係る消磁システムの構成は、第１及び第２の実施の形態に係る消磁システムの構成において、移動検知回路４１を磁気センサに置き換えたものである。磁気センサは、地磁気の相対的な方向変化を検知するとともに、例えば、子供が磁石をＣＲＴに近づける等のＣＲＴ７０外部からの磁界の印加を検知すると、電気信号を出力する機能を有している。磁気センサは、ホールド回路４２へ出力信号を送信可能に接続される。磁気センサは、ＣＲＴ７０外部の磁気状態の変化を検知すると、Ｈｉｇｈ信号をホールド回路４２へ出力する。その後は、上記において説明したように、消磁動作が一定時間行われたのちに、消磁動作が終了される。
【００４３】
以上の構成とすることにより、電源スイッチＳ１がＯＮ状態に切り換えられたのみでは消磁動作は行われず、ＣＲＴ外部の磁気状態が相対的に変化したとき、に、消磁動作が行われることになるので、無駄な消磁動作に起因する電力浪費を抑制することができ、また、不要な消磁音の発生回数を低減することができる。
【００４４】
＜第４の実施の形態＞
図５を参照しながら、第４の実施の形態に係るＣＲＴ用消磁システムについて説明する。図５は、本実施の形態に係るＣＲＴ用消磁システム１４の構成図である。本実施の形態の消磁システム１４は、ＣＲＴ７０内の不要な帯磁を除去する磁界を発生する消磁コイル２０と、消磁コイル２０への通電を制御する通電制御部３０と、消磁コイル２０が発生する磁界を減衰させる正特性サーミスタ２０１と、消磁コイル２０へ電流を供給する電流源８０とから構成されている。通電制御部３０は、消磁スイッチＳ２を有するスイッチング回路５０と、消磁スイッチＳ２を断続制御する制御本体部４０とを備える。
【００４５】
制御本体部４０は、入力信号に基づいて論理演算するＡＮＤ回路４６と、電源スイッチＳ１がＯＮ状態になったことを検知する電源スイッチ検知部４７と、ＣＲＴ７０の移動を検知する移動検知回路４１と、移動検知回路４１の出力信号を一定時間保持するホールド回路４２とから構成されている。移動検知回路４１の出力端子はホールド回路４２に接続される。ホールド回路４２の出力端子は、ＡＮＤ回路４６の入力端子の一端に接続され、電源スイッチ検知部４７の出力端子は、ＡＮＤ回路４６の入力端子の他端に接続される。
【００４６】
スイッチング回路５０は、トランジスタ５０Ｔと、消磁スイッチＳ２（第２のスイッチ）を有するリレー５０Ｒから構成されている。トランジスタ５０Ｔのベースは、ＡＮＤ回路４６の出力端子に接続され、コレクタはリレー５０Ｒのコイルに接続され、エミッタは接地される。消磁スイッチＳ２の一端は電流源８０に接続され、他端は、正特性サーミスタ２０１に接続される。消磁コイル２０は、電流源８０と正特性サーミスタ２０１とに直列に接続される。
【００４７】
次に、ＣＲＴ用消磁システム１４の動作について説明する。初期状態では、移動検知回路４１及び電源スイッチ検知部４７はＬｏｗ信号を送信している。ここで、電源スイッチＳ１がＯＦＦ状態からＯＮ状態に切り換えられると、電源スイッチ検知部４７は、電源スイッチＳ１がＯＮ状態に切り換えられたことを検知し、ＡＮＤ回路４６へＨｉｇｈ信号を出力する。このとき、移動検知回路４１はＬｏｗ信号を出力しているので、ＡＮＤ回路４６はＬｏｗ信号を出力している。ここで、ＣＲＴ７０の移動が検知されると、移動検知回路４１は、ホールド回路４２へ検知信号を送信する。ホールド回路４２は、該検知信号を一定時間保持し、ＡＮＤ回路４６へＨｉｇｈ信号を送信する。すると、ＡＮＤ回路４６の入力端子にはいずれもＨｉｇｈ信号が送信されるので、ＡＮＤ回路４６は、スイッチング回路５０へＨｉｇｈ信号を送信する。これにより、スイッチング回路５０では、トランジスタ５０Ｔからリレー５０Ｒへコレクタ電流が流れ、消磁スイッチＳ２がＯＮ状態となり、電流源８０によって消磁コイル２０が通電されて消磁動作が行われる。一定時間が経過すると、ホールド回路４２は、ＡＮＤ回路へＬｏｗ信号を出力する。ＡＮＤ回路４６の入力端子は、一端がＬｏｗ信号となり、他端がＨｉｇｈ信号となるので、ＡＮＤ回路４６は、トランジスタ５０ＴへＬｏｗ信号を送信する。すると、リレー５０Ｒにコレクタ電流が流れなくなるので、消磁スイッチＳ２はＯＦＦ状態となる。これによって、消磁コイル２０へは通電されなくなるので、消磁動作が終了する。
【００４８】
本実施の形態の消磁システム１４によれば、電源スイッチＳ１がＯＦＦ状態からＯＮ状態に切り換えられたときは、消磁コイル２０に通電せず、電源スイッチＳ１がＯＮ状態にあるときで、かつ、ＣＲＴ外部の磁気状態の変化を検知したときに、消磁コイル２０に通電する制御が行われる。これにより、電源スイッチＳ１がＯＮ状態に切り換えられただけでは消磁動作は行われず、ＣＲＴ７０外部の磁気状態の変化を検知したときに、消磁コイルが通電されて消磁動作が行われることになるので、不要な消磁動作に起因する電力浪費を抑制することが可能であり、また、不必要な消磁音の発生回数を低減することができる。
【００４９】
＜変形例＞
以上、本発明の実施の形態について説明してきたが、本発明の内容が、上記実施の形態に示された具体例に限定されないことは勿論である。
【００５０】
また、上記の実施の形態では、移動検知回路４１については、超音波センサを利用した例を説明したが、ＣＲＴ７０の移動を検知可能な赤外線センサ、ジャイロセンサ、又は角度検出器等を利用してもよい。また、これらを組み合わせた移動検知回路４１を用いてもよい。
【００５１】
また、上記の各ＣＲＴ用消磁システムが有するそれぞれの利点を組み合わせたＣＲＴ用消磁システムを作成してもよい。例えば、移動検知回路と、磁気センサとのいずれも備えているＣＲＴ用消磁システムでは、ＣＲＴ外部の磁気状態の変化を高感度に検知することができる。また、第１の実施の形態において、移動検知回路４１のマイクロコンピュータ４１１は不揮発性メモリを有することとしてもよい。これにより、電源プラグ６０が電源コンセントに接続されたままで、電源スイッチＳ１がＯＦＦ状態に切り換えられたときから、電源スイッチＳ１がＯＮ状態に切り換えられるまでの間に、ＣＲＴ７０が移動されたか否かを不揮発性メモリに保存されているデータに基づいて検知することが可能となる。
【００５２】
また、上記においては、実施の形態に係る陰極線管装置はＣＲＴ用消磁システム１０を備えることとしたが、上記のいずれのＣＲＴ用消磁システムを備えてもよい。
【００５３】
【発明の効果】
以上のように、本発明に係るＣＲＴ用消磁システム及び陰極線管装置は、陰極線管内の不要な帯磁を除去する消磁コイルと、当該消磁コイルへの通電を制御する通電制御部とを備え、当該通電制御部は、陰極線管への電力供給をＯＮ・ＯＦＦする第１のスイッチがＯＦＦ状態からＯＮ状態に切り換えられたときは、上記消磁コイルに通電せず、第１のスイッチがＯＮ状態にあるときで、かつ、ＣＲＴ外部の磁気状態の変化を検知したときに、上記消磁コイルに通電する制御を行うことを特徴としている。上記構成においては、第１のスイッチがＯＦＦ状態からＯＮ状態に切り換えられたときは、上記消磁コイルに通電せず、第１のスイッチがＯＮ状態にあるときで、かつ、ＣＲＴ外部の磁気状態の変化を検知したときに、上記消磁コイルに通電する制御が行われるので、電源スイッチがＯＮ状態に切り換えられただけでは消磁動作が行われず、ＣＲＴ外部の磁気状態の変化を検知したときに、消磁コイルが通電されて消磁動作が行われることになるので、不要な消磁動作に起因する電力浪費を抑制することが可能であり、また、不必要な消磁音の発生回数を低減することができる。
【図面の簡単な説明】
【図１】本発明の実施の形態におけるＣＲＴ用消磁システムのブロック図である。
【図２】本発明の実施の形態におけるＣＲＴ用消磁システムの回路図である。
【図３】本発明の実施の形態における陰極線管装置の構成図である。
【図４】移動検知回路の構成を示すブロック図である。
【図５】本発明の実施の形態におけるＣＲＴ用消磁システムの構成図である。
【符号の説明】
１０、１４                ＣＲＴ用消磁システム
１２                            ＣＲＴ装置
２０                            消磁コイル
３０                            通電制御部
４０                            制御本体部
４１                            移動検知回路
４３                            接続検知回路
４７                            電源スイッチ検知部
５０                            スイッチング回路
６０                            電源プラグ
７０                          ＣＲＴ
８０                            電流源
Ｓ１                            電源スイッチ（第１のスイッチ）
Ｓ２                            消磁スイッチ（第２のスイッチ）
【図１】
2004221817.tif 000003
【図２】
2004221817.tif 000004
【図３】
2004221817.tif 000005
【図４】
2004221817.tif 000006
【図５】
2004221817.tif 000007